(57)【要約】【課題】  明るさ重視から色再現性重視までの幅広い要求に柔軟に応える。【解決手段】  色分割手段は（３０）は色分割手段は、光の三原色の各々に対応する三つの大面積分光領域（Ｒ領域３０ａ、Ｇ領域３０ｂ、Ｂ領域３０ｃ）、白色光に対応する一つの中面積分光領域（Ｗ領域３０ｄ）、該中面積分光領域の両側に位置して前記大面積分光領域のいずれかに隣接する二つの小面積分光領域（ｓＲ領域３０ｅ、ｓＢ領域３０ｆ）を有する。Ｒ領域、Ｇ領域及びＢ領域の各々に同期させて空間光変調手段をＲ画像、Ｇ画像及びＢ画像で駆動するとともに、ｓＲ領域、Ｗ領域及びｓＢ領域に同期させて空間光変調手段をＷ画像で駆動すれば、色再現性の向上を図ることができ、一方、Ｒ領域、Ｇ領域及びＢ領域を切り替える際の前後所定時間の間も空間光変調手段をＷ画像で駆動すれば、画像の明るさの向上を図ることができる。【選択図】  図１４
2006254165.tif 000002
【特許請求の範囲】
【請求項１】
白色のスポット光を発生する光源と、
前記光源からのスポット光を時分割に色分割する色分割手段と、
前記色分割された各々の分割色を画像信号で空間光変調する空間光変調手段と、
前記空間光変調手段によって変調された光を投影する投影手段と、
前記空間光変調手段に与える画像信号を前記色分割手段の色分割に同期させて選択する画像信号選択手段とを備え、
前記色分割手段は、光の三原色の各々に対応する三つの大面積分光領域と、白色光に対応する一つの中面積分光領域と、該中面積分光領域の両側に位置して前記大面積分光領域のいずれかに隣接する二つの小面積分光領域とを有するものであって、
且つ、前記画像信号選択手段は、
前記色分割手段の色分割が、任意の大面積分光領域によって行われている間はその大面積分光領域に対応した色情報の画像信号を選択し、
また、中面積分光領域または小面積分光領域によって行われている間は輝度情報の画像信号を選択することを特徴とする投影型表示装置。
【請求項２】
白色のスポット光を発生する光源と、
前記光源からのスポット光を時分割に色分割する色分割手段と、
前記色分割された各々の分割色を画像信号で空間光変調する空間光変調手段と、
前記空間光変調手段によって変調された光を投影する投影手段と、
前記空間光変調手段に与える画像信号を前記色分割手段の色分割に同期させて選択する画像信号選択手段とを備え、
前記色分割手段は、光の三原色の各々に対応する三つの大面積分光領域と、白色光に対応する一つの中面積分光領域と、該中面積分光領域の両側に位置して前記大面積分光領域のいずれかに隣接する二つの小面積分光領域とを有するものであって、
且つ、前記画像信号選択手段は、
前記色分割手段の色分割が、任意の大面積分光領域によって行われている間は、その大面積分光領域に対応した色情報の画像信号を選択すると共に、任意の大面積分光領域から他の大面積分光領域へと切り替わる際は、その切り替え前後の所定時間の間、輝度情報の画像信号を選択し、
また、前記色分割手段の色分割が、小面積分光領域及び中面積分光領域によって行われている間は、大面積分光領域から小面積分光領域へと切り替わる際の所定時間前と小面積分光領域から大面積分光領域へと切り替わる所定時間後までの間、輝度情報の画像信号を選択することを特徴とする投影型表示装置。
【請求項３】
白色のスポット光を時分割に色分割する色分割工程と、
前記色分割された各々の分割色を画像信号で空間光変調する空間光変調工程と、
前記空間光変調工程によって変調された光を投影する投影工程と、
前記空間光変調工程に与える画像信号を前記色分割工程の色分割タイミングに同期させて選択する画像信号選択工程とを備え、
前記色分割工程は、光の三原色の各々に対応する三つの大面積分光領域と、白色光に対応する一つの中面積分光領域と、該中面積分光領域の両側に位置して前記大面積分光領域のいずれかに隣接する二つの小面積分光領域とを有するカラーホイールを用いて実行されるものであって、
且つ、前記画像信号選択工程は、前記色分割工程の色分割が、任意の大面積分光領域によって行われている間はその大面積分光領域に対応した色情報の画像信号を選択し、また、中面積分光領域または小面積分光領域によって行われている間は輝度情報の画像信号を選択することを特徴とする表示制御方法。
【請求項４】
白色のスポット光を時分割に色分割する色分割工程と、
前記色分割された各々の分割色を画像信号で空間光変調する空間光変調工程と、
前記空間光変調工程によって変調された光を投影する投影工程と、
前記空間光変調工程に与える画像信号を前記色分割工程の色分割タイミングに同期させて選択する画像信号選択工程とを備え、
前記色分割工程は、光の三原色の各々に対応する三つの大面積分光領域と、白色光に対応する一つの中面積分光領域と、該中面積分光領域の両側に位置して前記大面積分光領域のいずれかに隣接する二つの小面積分光領域とを有するカラーホイールを用いて実行されるものであって、
且つ、前記画像信号選択工程は、前記色分割工程の色分割が、任意の大面積分光領域によって行われている間は、その大面積分光領域に対応した色情報の画像信号を選択すると共に、任意の大面積分光領域から他の大面積分光領域へと切り替わる際は、その切り替え前後の所定時間の間、輝度情報の画像信号を選択し、
また、前記色分割工程の色分割が、小面積分光領域及び中面積分光領域によって行われている間は、大面積分光領域から小面積分光領域へと切り替わる際の所定時間前と小面積分光領域から大面積分光領域へと切り替わる所定時間後までの間、輝度情報の画像信号を選択することを特徴とする表示制御方法。
【発明の詳細な説明】
【技術分野】
【０００１】
本発明は、プロジェクタ等の投影型表示装置及びその表示制御方法に関し、詳しくは、カラー画像をスクリーンなどに拡大投影する投影型表示装置及びその表示制御方法に関する。
【背景技術】
【０００２】
日常、我々が目にする色は、絵の具や塗料などで表現された物体の色（物体色）と、投影型表示装置やテレビ受信機又はパソコンディスプレイなどの表示画面上に光の三原色で表現された光の色（光源色）の二種類である。
【０００３】
物体色と光源色の違いの一つは原色の組み合わせにある。物体色の原色は、赤紫（マゼンタ又はその英語表記のMagentaを略してＭという）、黄（イエロー又はその英語表記のYellowを略してＹという）、青緑（シアン又はその英語表記のCyanを略してＣという）の三つであるが、光源色の原色は、青（ブルー又はその英語表記のBlueを略してＢという）、緑（グリーン又はその英語表記のGreenを略してＧという）、赤（レッド又はその英語表記のRedを略してＲという）の三つである。但し、光源色の原色の「青」は、厳密には純粋な青ではなく「青紫」であるが、本明細書では説明の便宜上、「青」に統一することにする。つまり、光源色の三原色を「赤（Ｒ）」、「緑（Ｇ）」及び「青（Ｂ）」であるとする。
【０００４】
物体色と光源色の他の違いの一つは、それぞれの原色を混合したときの色の現れ方（混色効果）にある。つまり、物体色の場合は、色を混合するほど光が多く吸収されるため、反射する光の量が引き算的に少なくなり、色は次第に“くすみ”を帯びていく。これを減法混色という。これに対して、光源色の場合は、色を混合することはそのまま光の量が足し算的に増加することになり、色はより鮮やかになっていく。これを加法混色という。
【０００５】
投影型表示装置などの表示装置は、表示画像を光の三原色のドットからなる多数の画素で構成するとともに、各ドットの明るさを加減することにより、上記の「加法混色」を利用して様々な色を表現する。
【０００６】
ここで、色の感じ方は主観的であるが、一定の尺度で表現すれば、色相（Hue）、明度（Brightness）及び彩度（Saturation）の三つで表すことができる。これらを色の三属性という。色相とは、色味の違いのことであり、我々が普段、赤、緑、青などのように「色」として知覚し又は表現していることと同じ意味である。また、明度とは、色の明るさのことをいいう。最も明るい色は白、最も暗い色は黒である。彩度とは、色の鮮やかさのことをいう。彩度が低くなるにつれて“くすみ”を帯びた色味を感じない色になり、彩度が高くなるにつれて“ギラギラ”した色になる。
【０００７】
図１７は、国際照明委員会（ＣＩＥ）で定められたＣＩＥ色度図（特に座標軸をｘｙにとったＣＩＥｘｙ色度図）である。この色度図は、色の三属性を図式化したものであり、ヨットの帆の形をした破線は、可視光域（約３８０ｎｍ〜７８０ｎｍ）のスペクトル軌跡である。このスペクトル軌跡の内側に、人の目に見えるすべての色を置くことができる。同軌跡上には、便宜的にいくつかの黒丸が入れられているが、それぞれの黒丸に併記された数値は、そのｘｙ座標における色の波長（４２０ｎｍ、４８０ｎｍ、・・・・、７００ｎｍ）を表している。なお、それらの数値に特段の意味はない。単なる例示に過ぎない。
【０００８】
スペクトル軌跡の内側に描かれた三角図形は、カラーＣＲＴ（Cathode Ray Tube）の色再現領域である。三角図形の面積が大きいほど、多くの色を再現することができる。三角図形の各頂点は、それぞれ赤（Ｒ）、緑（Ｇ）及び青（Ｂ）の色座標であり、三角図形のほぼ中心に位置するＷは、標準光源色（白色）である。Ｗに近くなるほど“色度”が低くなる。色度とは、我々が特に色と関連しているものと知覚する要素のうち輝度から独立した色のことをいい、多くの場合、色度は「色相」と「彩度」に分けられる。
【０００９】
このように、ＣＩＥｘｙ色度図では、あらゆる色の色度、つまり、「色相」と「彩度」をｘｙ座標で表すことができる。また、色の三属性のうちの「明度」は、もう一つの軸（ｚ軸）で表すことができる。すなわち、このＣＩＥｘｙ色度図は、図面の表裏方向に延びる立体図形をｚ軸に直交して輪切りにした一つの面を表しており、ｚ軸の直交位置、つまり、輪切りの位置で明度を表す。ｚ軸の原点位置は明度ゼロであり、立体図形が高いほど明るさのダイナミックレンジが広がる。
【００１０】
こうした色の基礎的知識を踏まえた上で、従来の投影型表示装置（以下、従来装置という）について説明する（たとえば、特許文献１参照）。
【００１１】
図１８（ａ）は、従来装置に用いられているカラーホイールの構造図である。カラーホイールとは、白色光を時間軸上で光の三原色（ＲＧＢ）に分光するための光デバイスである。基本的なカラーホイールはＲＧＢの三領域だけであるが、ここでは、ＲＧＢに加えて、さらに白色光の透過領域（Ｗ）を備えたものを示している。すなわち、図示のカラーホイール１は、中心部分にモータシャフト取り付け部２を形成したガラス円盤を放射状に９０度ずつ４等分し、各々の分割部分を、赤色の分光領域（Ｒ領域１ａ）、緑色の分光領域（Ｇ領域１ｂ）、青色の分光領域（Ｂ領域１ｃ）及び白色光の透過領域（Ｗ領域１ｄ）としたものである。
【００１２】
このカラーホイール１は、不図示のモータによって回転駆動されるようになっており、且つ、その回転時に、カラーホイール１の所定部分に不図示の光源からの白色のスポット光３が照射されるようになっている。
【００１３】
スポット光３のサイズは、Ｒ領域１ａ、Ｇ領域１ｂ、Ｂ領域１ｃ及びＷ領域１ｄの大きさよりも充分に小さい。このため、たとえば、カラーホイール１の回転方向を図面に向かって反時計回り方向とすると、スポット光３がＲ領域１ａに照射されているときには、カラーホイール１から赤色光が取り出され、また、スポット光３がＧ領域１ｂに照射されているときには、カラーホイール１から緑色光が取り出され、また、スポット光３がＢ領域１ｃに照射されているときには、カラーホイール１から青色光が取り出され、さらに、スポット光３がＷ領域１ｄに照射されているときには、カラーホイール１から白色光が取り出される。
【００１４】
なお、図１８（ｂ）〜（ｄ）は、スポット光３が領域の境界線４を越えるときの様子（以下、越境状態という）を示している。後でも詳しく説明するが、この越境状態においては、スポット光３は、カラーホイール１の回転に伴い、図１８（ｂ）に示すような単一の領域（図ではＲ領域１ａ）への照射状態から、図１８（ｃ）に示すような二つの領域（図ではＲ領域１ａとＧ領域１ｂ）に跨った照射状態を経て、再び、図１８（ｄ）に示すような単一の領域（図ではＧ領域１ｂ）への照射状態に遷移する。
【００１５】
越境状態における図１８（ｃ）の継続時間、すなわち、二つの領域（図ではＲ領域１ａとＧ領域１ｂ）に跨った照射状態の継続時間は、スポット光３の直径、すなわち、図１８（ｄ）に示すように、二つの領域の境界線４とスポット光３の外接線５との角度αに比例して大きくなる。たとえば、角度αを便宜的に３０度とすると、スポット光３が二つの領域の境界線４の前後１５度、つまり、角度α（＝３０度）を照射している間、図１８（ｃ）の状態を継続する。
【００１６】
図１９は、従来装置におけるカラーホイールの駆動タイミング図である。この図において、Ｒ画像、Ｇ画像、Ｂ画像及びＷ画像は、それぞれ光変調素子（後述のＤＭＤ３３を参照：図２）に時分割で与えられる画像信号である。Ｒ画像はＲＧＢのフレーム画像から取り出された赤画像、Ｇ画像は同フレーム画像から取り出された緑画像、Ｂ画像は同フレーム画像から取り出された青画像、Ｗ画像は同フレーム画像から取り出された白画像（輝度情報のみの画像）である。なお、Ｗ画像（白画像）は、次式（１）に示すように、Ｒ画像、Ｇ画像及びＢ画像を所定の割合で合成することによって作り出すことができる。
Ｗ＝０．２９９Ｒ＋０．５８７Ｇ＋０．１１４Ｂ  ・・・・（１）
【００１７】
この図に示すように、カラーホイール１の回転位置（Ｒ領域１ａ、Ｇ領域１ｂ、Ｂ領域１ｃ及びＷ領域１ｄの各位置）に同期させて、Ｒ画像、Ｇ画像、Ｂ画像及びＷ画像を順次に光変調素子に与え、それらの画像で変調された赤、緑、青及び白色の各変調光からなる照明光束を投影型表示装置からスクリーンに照射することにより、スクリーン上にカラー画像を表示することができる。
【００１８】
ここで、投影型表示装置は、ホームシアターなどのように色の再現性を重視する用途と、プレゼンテーションなどのように明るさを重視する用途の二通りの利用スタイルがある。色の再現性を重視する場合、カラーホイール１の各色領域（Ｒ領域１ａ、Ｇ領域１ｂ及びＢ領域１ｃ）の色純度を高めて、できるだけ原色に近付ければよい。しかし、そうすると今度は、光の透過率が低下して明るさを確保できなくなる。したがって、この場合はプレゼンテーション用途に不適合となる。逆に、充分な明るさを得るために、カラーホイール１の各色領域（Ｒ領域１ａ、Ｇ領域１ｂ及びＢ領域１ｃ）透過率を高くすると、色純度が損なわれてしまい、ホームシアター用途に不適合となる。なお、明るさの確保は、光源の光量アップでも可能であるが、発熱や電力消費の点で限界がある。
【００１９】
かかる背景から、図示の従来装置においては、Ｗ画像の駆動時間を可変できるようにしている。すなわち、図１９の矢印“イ”で示すように、明るさを確保する場合にはＷ画像の駆動時間を長くし、一方、色の再現性を確保する場合にはＷ画像の駆動時間を短くして、上記の二つの用途に適合できるようにしている。
【００２０】
なお、従来技術では、スポット光３が二つの領域の境界線４を横切る期間（前記の越境状態にある期間）、つまり、スポット光３がＲ領域１ａとＧ領域１ｂの境界及びＧ領域１ｂとＢ領域１ｃの境界を横切る前後１５度（α／２）の期間についての説明はないが、たとえば、この期間をＷ画像で駆動すれば、明るさをよりアップすることが可能であると考えられる。
【００２１】
図２０は、越境状態にあるときにもＷ画像で駆動するようにしたカラーホイールの駆動タイミング図である。この図に示すように、Ｗ画像の駆動期間は、カラーホイール１のＷ領域１ｄだけでなく、各領域の境界の前後１５度（＝α）、つまり、Ｒ領域１ａとＧ領域１ｂの境界線前後１５度、Ｇ領域１ｂとＢ領域１ｃの境界線前後１５度、Ｂ領域１ｃとＷ領域１ｄの境界線前後１５度、及び、Ｗ領域１ｄとＲ領域１ａの境界線前後１５度も含む。このため、Ｗ画像のトータルの駆動期間は、Ｗ領域１ｄの角度＋３α＝９０度＋３０度＋３０度＋３０度となり、結局、カラーホイール１のほぼ半周分に相当する１８０度にも及ぶ長い期間にわたってＷ画像で駆動できるようになり、明るさをよりアップすることができる。
【００２２】
【特許文献１】特開２００４−４５９８９号公報
【発明の開示】
【発明が解決しようとする課題】
【００２３】
しかしながら、上記の従来装置において、カラーホイール１のほぼ半周分に相当する１８０度にも及ぶ長い期間にわたってＷ画像で駆動した場合、明るさをよりアップできる点で好ましいものの、その一方で、Ｗ画像だけが突出して大きくなるため、Ｒ、Ｇ、Ｂ画像やその補色画像（Ｃ画像、Ｍ画像、Ｙ画像）とのバランスが崩れてしまうという問題点がある。
【００２４】
図２１は、従来装置のＣＩＥｘｙ色度図及び画像ごとの明るさの概念図である。このＣＩＥｘｙ色度図において、三角図形の各頂点は、前記のＣＩＥｘｙ色度図と同様に、それぞれ赤（Ｒ）、緑（Ｇ）及び青（Ｂ）の色座標である。Ｃ（シアン）はＧとＢの補色（Ｇ＋Ｒ）、Ｍ（マゼンタ）はＲとＢの補色（Ｒ＋Ｂ）、Ｙ（イエロー）はＲとＧの補色（Ｒ＋Ｇ）である。
【００２５】
Ｒ、Ｇ、Ｂ、Ｃ、Ｍ、Ｙ及びＷの各画像の明るさを対比すると、図（ｂ）に示すように、概ね「Ｒ：Ｇ：Ｂ：Ｃ：Ｍ：Ｙ：Ｗ＝１：１：１：２：２：２：９」の比率になっており、Ｗの値が飛び抜けて高い。これは、上記のように、カラーホイール１のほぼ半周分に相当する１８０度にも及ぶ長い期間にわたってＷ画像で駆動したからである。
【００２６】
一般的に、Ｒ、Ｇ、Ｂ、Ｃ、Ｍ、Ｙ及びＷの適正な比率は、「１：１：１：２：２：２：３」程度、すなわち、Ｒ、Ｇ、ＢとＣ、Ｍ、Ｙが「１：２」程度で且つ、Ｒ、Ｇ、ＢとＷが「１：３」程度とされている。この比率のときに、色と明るさの理想的なバランスが得られるとされているが、従来装置の比率は、このバランスから大きくかけ離れているため、色がくすんで見えるという問題点がある。
【００２７】
そこで、本発明の目的は、カラーホイールの各領域と各画像との駆動パターンを柔軟に変化し得るようにし、以て、明るさ重視から色再現性重視まで幅広い要求に応えることができる投影型表示装置及びその表示制御方法を提供することにある。
【課題を解決するための手段】
【００２８】
請求項１記載の発明は、白色のスポット光を発生する光源と、前記光源からのスポット光を時分割に色分割する色分割手段と、前記色分割された各々の分割色を画像信号で空間光変調する空間光変調手段と、前記空間光変調手段によって変調された光を投影する投影手段と、前記空間光変調手段に与える画像信号を前記色分割手段の色分割に同期させて選択する画像信号選択手段とを備え、前記色分割手段は、光の三原色の各々に対応する三つの大面積分光領域と、白色光に対応する一つの中面積分光領域と、該中面積分光領域の両側に位置して前記大面積分光領域のいずれかに隣接する二つの小面積分光領域とを有するものであって、且つ、前記画像信号選択手段は、前記色分割手段の色分割が、任意の大面積分光領域によって行われている間はその大面積分光領域に対応した色情報の画像信号を選択し、また、中面積分光領域または小面積分光領域によって行われている間は輝度情報の画像信号を選択することを特徴とする投影型表示装置である。
ここで、「白色のスポット光」とは、少なくとも可視光領域の波長の光を含む細く絞り込まれた光束のことをいう。この光束は、平行光であることが望ましいが、実用上は、光源から色分割手段を経て空間光変調手段に至る短い距離の間でスポットを維持できるものであれば、多少の広がりをもった光束であっても構わない。また、「空間光変調手段」とは、上記のスポット光を画像信号の画素情報に応じて変調するものであり、たとえば、ＤＭＤや液晶デバイスなどである。
請求項２記載の発明は、白色のスポット光を発生する光源と、前記光源からのスポット光を時分割に色分割する色分割手段と、前記色分割された各々の分割色を画像信号で空間光変調する空間光変調手段と、前記空間光変調手段によって変調された光を投影する投影手段と、前記空間光変調手段に与える画像信号を前記色分割手段の色分割に同期させて選択する画像信号選択手段とを備え、前記色分割手段は、光の三原色の各々に対応する三つの大面積分光領域と、白色光に対応する一つの中面積分光領域と、該中面積分光領域の両側に位置して前記大面積分光領域のいずれかに隣接する二つの小面積分光領域とを有するものであって、且つ、前記画像信号選択手段は、前記色分割手段の色分割が、任意の大面積分光領域によって行われている間は、その大面積分光領域に対応した色情報の画像信号を選択すると共に、任意の大面積分光領域から他の大面積分光領域へと切り替わる際は、その切り替え前後の所定時間の間、輝度情報の画像信号を選択し、また、前記色分割手段の色分割が、小面積分光領域及び中面積分光領域によって行われている間は、大面積分光領域から小面積分光領域へと切り替わる際の所定時間前と小面積分光領域から大面積分光領域へと切り替わる所定時間後までの間、輝度情報の画像信号を選択することを特徴とする投影型表示装置である。
請求項３記載の発明は、白色のスポット光を時分割に色分割する色分割工程と、前記色分割された各々の分割色を画像信号で空間光変調する空間光変調工程と、前記空間光変調工程によって変調された光を投影する投影工程と、前記空間光変調工程に与える画像信号を前記色分割工程の色分割タイミングに同期させて選択する画像信号選択工程とを備え、前記色分割工程は、光の三原色の各々に対応する三つの大面積分光領域と、白色光に対応する一つの中面積分光領域と、該中面積分光領域の両側に位置して前記大面積分光領域のいずれかに隣接する二つの小面積分光領域とを有するカラーホイールを用いて実行されるものであって、且つ、前記画像信号選択工程は、前記色分割工程の色分割が、任意の大面積分光領域によって行われている間はその大面積分光領域に対応した色情報の画像信号を選択し、また、中面積分光領域または小面積分光領域によって行われている間は輝度情報の画像信号を選択することを特徴とする表示制御方法である。
請求項４記載の発明は、白色のスポット光を時分割に色分割する色分割工程と、前記色分割された各々の分割色を画像信号で空間光変調する空間光変調工程と、前記空間光変調工程によって変調された光を投影する投影工程と、前記空間光変調工程に与える画像信号を前記色分割工程の色分割タイミングに同期させて選択する画像信号選択工程とを備え、前記色分割工程は、光の三原色の各々に対応する三つの大面積分光領域と、白色光に対応する一つの中面積分光領域と、該中面積分光領域の両側に位置して前記大面積分光領域のいずれかに隣接する二つの小面積分光領域とを有するカラーホイールを用いて実行されるものであって、且つ、前記画像信号選択工程は、前記色分割工程の色分割が、任意の大面積分光領域によって行われている間は、その大面積分光領域に対応した色情報の画像信号を選択すると共に、任意の大面積分光領域から他の大面積分光領域へと切り替わる際は、その切り替え前後の所定時間の間、輝度情報の画像信号を選択し、また、前記色分割工程の色分割が、小面積分光領域及び中面積分光領域によって行われている間は、大面積分光領域から小面積分光領域へと切り替わる際の所定時間前と小面積分光領域から大面積分光領域へと切り替わる所定時間後までの間、輝度情報の画像信号を選択することを特徴とする表示制御方法である。
【発明の効果】
【００２９】
本発明によれば、色分割手段の色分割タイミングが、光の三原色のいずれかの色分割から他の色分割へと入れ替わるものであるときに、入れ替え後の色分割に対応した画像信号に切り替えられる。
ここで、色分割手段は、光の三原色の各々に対応する三つの大面積分光領域と、白色光に対応する一つの中面積分光領域と、該中面積分光領域の両側に位置して前記大面積分光領域のいずれかに隣接する二つの小面積分光領域とを有するものであり、たとえば、三つの大面積分光領域は後述の実施例におけるＲ領域、Ｇ領域及びＢ領域に相当し、一つの中面積分光領域は同実施例におけるＷ領域に相当し、二つの小面積分光領域は同実施例におけるｓＲ領域及びｓＢ領域に相当する。
このような構成において、Ｒ領域、Ｇ領域及びＢ領域の各々に同期させて空間光変調手段をＲ画像、Ｇ画像及びＢ画像で駆動するとともに、ｓＲ領域、Ｗ領域及びｓＢ領域に同期させて空間光変調手段をＷ画像で駆動すれば、色再現性の向上を図ることができ、一方、Ｒ領域、Ｇ領域及びＢ領域を切り替える際の前後所定時間の間も空間光変調手段をＷ画像で駆動すれば、画像の明るさの向上を図ることができる。
【発明を実施するための最良の形態】
【００３０】
以下、本発明の実施形態を、プロジェクタを例にして、図面を参照しながら説明する。なお、以下の説明における様々な細部の特定ないし実例および数値や文字列その他の記号の例示は、本発明の思想を明瞭にするための、あくまでも参考であって、それらのすべてまたは一部によって本発明の思想が限定されないことは明らかである。また、周知の手法、周知の手順、周知のアーキテクチャおよび周知の回路構成等（以下「周知事項」）についてはその細部にわたる説明を避けるが、これも説明を簡潔にするためであって、これら周知事項のすべてまたは一部を意図的に排除するものではない。かかる周知事項は本発明の出願時点で当業者の知り得るところであるので、以下の説明に当然含まれている。
【００３１】
図１は、投影型表示装置としてのプロジェクタ１０の外観図である。一つの例として示すプロジェクタ１０は、任意の意匠でデザインされた形状（図示の例では直方体状）の筐体１１を有しており、その筐体１１の前面に、カバー１２の奥に隠れた投影レンズ３４が配設されている。カバー１２は、通常は図示位置にあって投映レンズ１３を隠している（保護している）が、この投影レンズ３４は、カバー１２を手動でスライドさせることによって不図示のスクリーンを臨むように露出する。
【００３２】
投影レンズ３４は、後述のＤＭＤ３３で形成された光像を投影するためのものであり、ここでは、フォーカスと投射倍率（ズーム）を任意に可変できるものとする。
【００３３】
筐体１１の上面には、本体操作表示部１４、上面カバー１５及びスピーカ１６が配設されている。本体操作表示部１４はタッチパネル付きの平面表示デバイス（液晶表示パネルまたは有機表示パネルもしくはＥＬパネル等）で構成されており、この本体操作表示部１４は、各動作状況に必要な様々な操作ボタンをグラフィカル表示して、対応するボタンがタッチ操作されるとその操作イベント信号を発生し、また、動作異常などが発生した場合にはその内容等を文字列または図形等で表示する。
【００３４】
スピーカ１６は、映像を投射する際、または、任意のプレゼンテーションソフトウェアを実行する際に、それらの映像やプレゼンテーションソフトウェアの音声情報を拡声出力する。
【００３５】
上面カバー１５の下には、通常は隠れて見えない本体サブキー１７が設けられており、この本体サブキー１７は、本体操作表示部１４に表示されるボタン操作以外の詳細な動作設定を行う際に、適宜に上面カバー１５を開いて操作される。
【００３６】
図２は、プロジェクタ１０の内部ブロック図である。プロジェクタ１０は、スピーカ１６、音声処理部１８、表示駆動部１９、本体操作表示部１４（平面表示デバイス１４ａ、タッチパネル１４ｂ）、本体サブキー１７を含む操作部２０、中央制御部２１（画像信号選択手段）、入出力コネクタ２２、入出力Ｉ／Ｆ２３、画像変換部２４、ビデオＲＡＭ２５（少なくともＲ画像プレーン２５ａ、Ｇ画像プレーン２５ｂ及びＢ画像プレーン２５ｃを含む）、投影エンコーダ２６、投影駆動部２７、リフレクタ２８、光源２９、カラーホイール３０（色分割手段）、カラーホイール駆動用モータ３１、カラーホイール回転角センサ３２、ＤＭＤ３３（空間光変調手段）、投影レンズ３４（投影手段）、フォーカス／ズーム駆動用モータ３５、冷却ファン３６、冷却ファン駆動用モータ３７などのブロックを含む。
【００３７】
中央制御部２１は、表示駆動部１９を介して本体操作表示部１４の平面表示デバイス１４ａに所要の操作ボタン類をグラフィカル表示する。ユーザによって任意の操作ボタンがタッチ操作されると、そのタッチ座標がタッチパネル１４ｂで検出され、中央制御部２１は、その検出座標に基づいて、タッチ操作されたボタンの種類を特定し、その特定結果に対応した制御モード（たとえば、フォーカスやズーム等の投影条件設定モード及び後述の表示制御モードなど）を実行する。
【００３８】
また、中央制御部２１は、表示駆動部１９を介して本体操作表示部１４の平面表示デバイス１４ａに、入力画像の解像度、入力コネクタ部２０の使用端子選択、音声の有無等の設定に必要な操作ボタン類をグラフィカル表示する。ユーザによって任意の操作ボタンがタッチ操作されると、そのタッチ座標がタッチパネル１４ｂで検出され、中央制御部２１は、その検出座標に基づいて、タッチ操作されたボタンの種類を特定し、その特定結果に対応した設定動作を実行する。
【００３９】
たとえば、入力画像の解像度がＸＧＡ（１０２４×７６８画素）、入力コネクタ部２０の使用端子がＲＣＡ端子、且つ、音声ありの場合は、入出力Ｉ／Ｆ２３を制御して入出力コネクタ２２の当該端子（ＲＣＡ端子）を選択し、その端子に加えられた外部機器からの入力画像と音声とを取り込み、それらを画像変換部２４と音声処理部１８に転送する。
【００４０】
さらに、中央制御部２１は、表示駆動部１９を介して本体操作表示部１４の平面表示デバイス１４ａに、色再現性重視の表示制御モード（以下、第一の表示制御モード）と明るさ優先の表示モード（以下、第二の表示制御モード）とを選択するためのボタンを表示し、ユーザが、そのときの用途に応じて、そのボタンの中から適切なものをタッチ選択すると、そのタッチ座標がタッチパネル１４ｂで検出され、中央制御部２１は、その検出座標に基づいて、タッチ操作されたボタンの種類（第一の表示制御モード、第二の表示制御モード）を特定し、その特定結果に対応した表示制御モードを実行する。
【００４１】
音声処理部１８は音声を増幅してスピーカ１６で拡声出力し、画像変換部２４は、入力画像を所定のフォーマットに変換し、その変換画像を投影エンコーダ２６に転送する。
【００４２】
投影エンコーダ２６は、送られてきた画像信号をビデオＲＡＭ２５に展開記憶（Ｒ画像→Ｒ画像プレーン２５ａ、Ｇ画像→Ｇ画像プレーン２５ｂ、Ｂ画像→Ｂ画像プレーン２５ｃ）させた上で、このビデオＲＡＭ２５の各プレーンの記憶内容を、Ｒ画像、Ｇ画像及びＢ画像の順に読み出すとともに、Ｗ画像については、それらのＲ画像、Ｇ画像及びＢ画像から生成する（前式（１）参照）。
【００４３】
投影駆動部２７は、それらのＲ画像、Ｇ画像及びＢ画像並びにＷ画像から構成される、たとえば、３０フレーム／秒のフレーム画像でＤＭＤ３３を駆動する。
【００４４】
ＤＭＤ（Digital Micro-mirror Device）３３は、微小な可動ミラーを多数個平面上に敷き詰めた半導体集積光スイッチである。可動ミラーの大きさは、たとえば、十数μｍ角であり、ミラーのオンとオフの状態で±１０度程度傾斜が変化するように支柱に取り付けられている。ミラーの直下にはメモリー素子が形成されており、このメモリー素子の正電界作用によってミラーのオンとオフの状態を切り換える。ＤＭＤ３３の反射光量は、ミラーをオンにしたときに最大（白階調）、オフにしたときに最小（黒階調）となるが、各ミラーのスイッチングスピード（オンとオフの切り換えスピード）を毎秒５０万回以上にすることもできるため、各ミラーのスイッチングレシオを変えることにより、ＤＭＤ３３の反射光量を中間階調（グレースケール）にすることもできる。
【００４５】
このようなＤＭＤ３３に対して、リフレクタ２８内に配置された超高圧水銀灯等の光源２９から高輝度の白色のスポット光Ｐａを照射すると、その反射光Ｐｂは、ＤＭＤ３３の各ミラーのオンオフ及びそのスイッチングレシオに対応して画素ごとに光変調（画像信号の内容で画素単位に光変調）されたものとなり、この反射光Ｐｂを投影レンズ３４を介して図示しないスクリーンに投射することによって、そのスクリーン上に画像信号の拡大映像を投影することができる。
【００４６】
但し、図示の例では、ＤＭＤ３３の数は１個であり、また、光源２９から照射されたスポット光Ｐａは「白色光」であるから、この場合、スクリーン上にはモノクロの映像しか投影できない。そこで、実際には、光源２９の前面にカラーホイール３０を配置して、このカラーホイール３０をカラーホイール駆動用モータ３１で回転駆動するようにし、且つ、ビデオＲＡＭ２５に画像信号を展開記憶する際に、光の三原色（ＲＧＢ）ごとのビデオ信号成分に分けて展開記憶するようにしている。なお、本実施形態においては、後述するように、Ｒ画像、Ｇ画像及びＢ画像に加えて、Ｗ画像も必要とするが、このＷ画像については、たとえば、前式（１）を用いて、Ｒ画像、Ｇ画像及びＢ画像から計算で求めるようにしている。
【００４７】
図３（ａ）は、カラーホイール３０の正面図である。本実施形態のカラーホイール３０は、円盤状の透明プレートを９０度ずつ４等分したうちの三つの領域をそれぞれＲ領域３０ａ、Ｇ領域３０ｂ及びＢ領域３０ｃにし、さらに、残りの一つの領域のセンター部分（両側の１５度を除く６０度の部分）をＷ領域３０ｄにすると共に、そのＷ領域３０ｄの両側の１５度の部分をそれぞれｓＲ領域３０ｅ（小面積分光領域）とｓＢ領域３０ｆ（小面積分光領域）にしている。Ｒ領域３０ａ及びｓＲ領域３０ｅは可視光域の光のうち“赤色”の光の分光特性を持った領域である。同様に、Ｂ領域３０ｃ及びｓＢ領域３０ｆは“青色”の光の分光特性を持った領域であり、Ｇ領域３０ｂは“緑色”の光の分光特性を持った領域である。また、Ｗ領域３０ｄは可視光域の光全体を透過する透明な領域である。なお、ｓＲ領域３０ｅとｓＢ領域３０ｆの“ｓ”は、Ｒ領域３０ａやＧ領域３０ｂと区別するための単なる識別記号である。
【００４８】
カラーホイール３０上の各領域は、図面に向かって時計回り方向にＲ領域３０ａ→Ｇ領域３０ｂ→Ｂ領域３０ｃ→ｓＲ領域３０ｅ→Ｗ領域３０ｄ→ｓＢ領域３０ｆの順で配置されており、特にｓＲ領域３０ｅはＢ領域３０ｃとＷ領域３０ｄの間に位置し、ｓＢ領域３０ｆはＷ領域３０ｆとＲ領域３０ａの間に位置している。
【００４９】
Ｒ領域３０ａ、Ｇ領域３０ｂ、Ｂ領域３０ｃ、Ｗ領域３０ｄ、ｓＲ領域３０ｅ、ｓＢ領域３０ｆの各々の面積は、Ｒ領域３０ａ、Ｇ領域３０ｂ及びＢ領域３０ｃが同一面積且つ最大であり、Ｗ領域３０ｄがそれに次、ｓＲ領域３０ｅ及びｓＢ領域３０ｆが同一面積且つ最小であるから、Ｒ領域３０ａ、Ｇ領域３０ｂ及びＢ領域３０ｃは発明の要旨に記載の“大面積分光領域”に相当し、Ｗ領域３０ｄは発明の要旨に記載の“中面積分光領域”に相当し、ｓＲ領域３０ｅ及びｓＢ領域３０ｆは発明の要旨に記載の“小面積分光領域”に相当する。
【００５０】
カラーホイール３０の透明プレートの中央部分には、カラーホイール駆動用モータ３１のシャフトを取り付けるための円形開口３０ｇが形成されており、さらに、カラーホイール３０の透明プレートの外周縁の所定位置（図ではＲ領域３０ａとｓＢ領域３０ｆの境界線３０ｈから時計回り方向に１５度ずれた位置）には、このカラーホイール３０の回転角を検出する際の基準位置を示す基準穴３０ｉが形成されている。
【００５１】
図３（ｂ）は、カラーホイール３０とカラーホイール回転角センサ３２との対応関係図である。カラーホイール回転角センサ３２は、発光部３２ａと受光部３２ｂを内蔵したコの字状ボディ３２ｃを備え、そのボディ３２ｃで、カラーホイール３０の透明プレートの外周縁付近を非接触状態で挟み込み、カラーホイール３０の基準穴３０ｉを通過した発光部３２ａからの光を受光部３２ｂで受光し、その光の有無に対応した間欠的な回転角検出信号ＣＰを出力する。
【００５２】
図３（ｃ）は、回転角検出信号ＣＰの波形図である。回転角検出信号ＣＰは、発光部３２ａからの光が透明プレートで遮られている間、ローレベルを維持するが、発光部３２ａからの光が透明プレートの基準穴３０ｉを通過するとハイレベルに立ち上がる。カラーホイール３０は、カラーホイール駆動用モータ３１によって所定の速度で回転駆動されるため、発光部３２ａからの光が透明プレートの基準穴３０ｉを通過するのは一瞬である。したがって、回転角検出信号ＣＰは、カラーホイール３０の一回転ごとに１回、瞬間的にハイレベルに立ち上がることになり、そのハイレベルの立ち上がり時点を回転角０度とすると、ハイレベルからハイレベルまでの期間でカラーホイール３０の刻一刻と変化する回転角（０〜３６０度）を表すことができる。
【００５３】
図４は、カラーホイール３０の各領域の分光特性を示す図であり、（ａ）はＲ領域３０ａとｓＲ領域３０ｅの分光特性、（ｂ）はＧ領域３０ｂの分光特性、（ｃ）はＢ領域３０ｃとｓＢ領域３０ｆの分光特性を示している。これらの図において、縦軸は光の透過強度、横軸は光の波長である。赤色光の波長に対して緑色光の波長は短く、青色光の波長はさらに短い。図中の破線で分けた三つのエリア（Ｒ、Ｇ、Ｂ）は、赤色光、緑色光及び青色光の便宜上の波長帯域を示している。図（ａ）に示すように、赤色光の分光特性は、Ｒ領域３０ａとｓＲ領域３０ｅの透過率を高めることによって得られる。同様に、図（ｂ）に示すように、緑色光の分光特性は、Ｇ領域３０ｂの透過率を高めることによって得られ、また、図（ｃ）に示すように、青色光の分光特性は、Ｂ領域３０ｃとｓＢ領域３０ｆの透過率を高めることによって得られる。
【００５４】
図５は、光源２９から照射されるスポット光Ｐａとカラーホイール３０との対応関係図である。この図において、スポット光Ｐａの光軸Ｐは、カラーホイール３０の半径上の所定位置に固定されており、カラーホイール３０の回転に伴い、そのカラーホイール３０の円周方向にスポット光Ｐａが相対的に移動するようになっている。
【００５５】
ここで、スポット光Ｐａの左右の外接線Ｌａ、Ｌｂをカラーホイール３０の回転中心Ｏで交差させたとき、その交差角θと、カラーホイール３０に形成されたｓＲ領域３０ｅ及びｓＢ領域３０ｆの各々の角度（１５度）の２倍の角度（３０度）とが一致するように、スポット光Ｐａの直径（ＡＢ）を設定してもよい。今、θ＝３０度であるから、スポット光Ｐａの直径（ＡＢ）は、「２×ＯＡ×（ｓｉｎθ／２）」で与えられる。ＯＡは、カラーホイール３０の回転中心Ｏからスポット光Ｐａの点Ａまでの距離である。たとえば、ＯＡ＝１０ｍｍとすると、ＡＢ＝５．１８ｍｍになるから、スポット光Ｐａの直径を５．１８ｍｍにすれば、カラーホイール３０に形成されたｓＲ領域３０ｅ及びｓＢ領域３０ｆの各々の角度（１５度）の２倍の角度（３０度）と交差角θとを一致させることができる。
【００５６】
図６〜図９は、カラーホイール３０の回転状態を示す図であり、たとえば、図６（ａ）はカラーホイール３０の回転角が０度のときの状態図、図６（ｂ）は同回転角が６０度のときの状態図、図６（ｃ）は同回転角が９０度のときの状態図、図７（ａ）は同回転角が１５０度のときの状態図、図７（ｂ）は同回転角が１８０度のときの状態図、図７（ｃ）は同回転角が２４０度のときの状態図、図８（ａ）は同回転角が２５５度のときの状態図、図８（ｂ）は同回転角が２７０度のときの状態図、図８（ｃ）は同回転角が２８５度のときの状態図、図９（ａ）は同回転角が３１５度のときの状態図、図９（ｂ）は同回転角が３３０度のときの状態図、図９（ｃ）は同回転角が３４５度のときの状態図である。
【００５７】
これらの回転角のうち０度は、カラーホイール３０に形成された基準穴３０ｉがカラーホイール回転角センサ３２の位置に一致しているときのものである。このときの回転角（０度）を基準にして、カラーホイール３０を反時計回り方向に回転させていくと、回転角が徐々に増え、カラーホイール３０が一回転すると、再び０度に戻って、以降、この回転角の変化を繰り返す。
【００５８】
ここで、上記の各回転角（０度、６０度、９０度、１５０度、１８０度、２４０度、２５５度、２７０度、２８５度、３１５度、３３０度及び３４５度）は、それぞれ特異な角度である。すなわち、カラーホイール３０の回転方向を図面に向かって反時計回り方向とすれば、０度はスポット光ＰａがｓＢ領域３０ｆを抜け出した直後の角度であり（図６（ａ）参照）、６０度はスポット光ＰａがＧ領域３０ｂに入る寸前の角度である（図６（ｂ）参照）。また、９０度はスポット光ＰａがＲ領域３０ａを抜け出した直後の角度であり（図６（ｃ）参照）、１５０度はスポット光ＰａがＢ領域３０ｃに入る寸前の角度である（図７（ａ）参照）。さらに、１８０度はスポット光ＰａがＧ領域３０ｂを抜け出した直後の角度であり（図７（ｂ）参照）、２４０度はスポット光ＰａがｓＲ領域３０ｅに入る寸前の角度である（図７（ｃ）参照）。
【００５９】
また、２５５度はスポット光Ｐａが二つの領域（Ｂ領域３０ｃとｓＲ領域３０ｅ）に跨っている角度であり（図８（ａ）参照）、２７０度もスポット光Ｐａが二つの領域（ｓＲ領域３０ｅとＷ領域３０ｄ）に跨っている角度である（図８（ａ）参照）。
【００６０】
また、２８５度はスポット光ＰａがｓＲ領域３０ｅを抜け出した直後の角度であり（図８（ｃ）参照）、３１５度はスポット光ＰａがｓＢ領域３０ｆに入る寸前の角度である（図９（ａ）参照）。
【００６１】
また、３３０度はスポット光Ｐａが二つの領域（Ｗ領域３０ｄとｓＢ領域３０ｆ）に跨っている角度であり（図９（ｂ）参照）、３４５度もスポット光Ｐａが二つの領域（ｓＢ領域３０ｆとＲ領域３０ａ）に跨っている角度である（図９（ｃ）参照）。
【００６２】
このようなカラーホイール３０の回転角変化をまとめると、次の三つのパターンに分類することができる。
【００６３】
＜スポット光Ｐａが単一の領域に照射されているパターン＞
０度〜６０度、９０度〜１５０度、１８０度〜２４０度、２８５度〜３１５度の間では、スポット光Ｐａが単一の領域に位置しているため、カラーホイール３０からは純粋な一つの色の光だけが取り出される。すなわち、０度〜６０度の間では、スポット光ＰａがＲ領域３０ａのみに位置しているため、カラーホイール３０からは純粋な赤色光だけが取り出される。同様に、９０度〜１５０度の間では、スポット光ＰａがＧ領域３０ｂのみに位置しているため、カラーホイール３０からは純粋な緑色光だけが取り出される。また、１８０度〜２４０度の間では、スポット光ＰａがＢ領域３０ｃのみに位置しているため、カラーホイール３０からは純粋な青色光だけが取り出され、さらに、２８５度〜３１５度の間では、スポット光ＰａがＷ領域３０ｄのみに位置しているため、カラーホイール３０からは純粋な白色光だけが取り出される。
【００６４】
＜スポット光Ｐａが二つの領域に跨って照射されているパターン＞
６０度〜９０度、１５０度〜１８０度、２４０度〜２５５度、２７０度〜２８５度、３１５度〜３３０度、３４５度〜３６０度（０度）の間では、スポット光Ｐａが二つの領域に跨って位置しているため、カラーホイール３０からはそれらの二つの領域の混合色が取り出される。すなわち、６０度〜９０度の間では、スポット光ＰａがＲ領域３０ａとＧ領域３０ｂに跨って位置しているため、カラーホイール３０からはそれらの二つの領域の混合色（Ｒ＋Ｇ）である黄色光が取り出される。そして、この混合色（黄色）は、カラーホイール３０の回転角が６０度から９０度へと増えるにつれて赤に近い黄色から緑に近い黄色へと線形的に変化する。
【００６５】
同様に、１５０度〜１８０度の間では、スポット光ＰａがＧ領域３０ｂとＢ領域３０ｃに跨って位置しているため、カラーホイール３０からはそれらの二つの領域の混合色（Ｇ＋Ｂ）であるシアン光が取り出される。そして、この混合色（シアン）は、カラーホイール３０の回転角が１５０度から１８０度へと増えるにつれて緑に近いシアンから青に近いシアンへと線形的に変化する。また、２４０度〜２５５度の間では、スポット光ＰａがＢ領域３０ｃとｓＲ領域３０ｅに跨って位置しているため、カラーホイール３０からはそれらの二つの領域の混合色（Ｂ＋Ｒ）であるマゼンタ光が取り出される。そして、この混合色（マゼンタ）は、カラーホイール３０の回転角が２４０度から２５５度へと増えるにつれて青に近いマゼンタから赤に近いマゼンタへと線形的に変化する。
【００６６】
また、２７０度〜２８５度の間では、スポット光ＰａがｓＲ領域３０ｅとＷ領域３０ｄに跨って位置しているため、カラーホイール３０からはそれらの二つの領域の混合色（Ｒ＋Ｗ）である輝度可変赤色光が取り出される。“輝度可変”赤色光とは、Ｗの割合に応じて明るさを増す色のことをいい、最も明るくなったときに色味のない白色になる色のことをいう。そして、この混合色（輝度可変赤色）は、カラーホイール３０の回転角が２７０度から２８５度へと増えるにつれて赤と白を均等に含む輝度半減赤色から白色（色味のない色）へと線形的に変化する。
【００６７】
また、３１５度〜３３０度の間では、スポット光ＰａがＷ領域３０ｄとｓＢ領域３０ｆに跨って位置しているため、カラーホイール３０からはそれらの二つの領域の混合色（Ｗ＋Ｂ）である輝度可変青色光が取り出される。そして、この混合色（輝度可変青色光）は、カラーホイール３０の回転角が３１５度から３３０度へと増えるにつれて白色（色味のない色）から輝度半減青色へと線形的に変化する。
【００６８】
また、３４５度〜３６０度の間では、スポット光ＰａがｓＢ領域３０ｆとＲ領域３０ａに跨って位置しているため、カラーホイール３０からはそれらの二つの領域の混合色（Ｂ＋Ｒ）であるマゼンタが取り出される。そして、この混合色（マゼンタ）は、カラーホイール３０の回転角が３４５度から３６０度へと増えるにつれて青に近いマゼンタから赤に近いマゼンタへと線形的に変化する。
【００６９】
＜スポット光Ｐａが三つの領域に跨って照射されているパターン＞
２５５度〜２７０度、３３０度〜３４５度の間では、スポット光Ｐａが三つの領域に跨って位置する。このため、カラーホイール３０からはそれらの三つの領域の混合色が取り出される。すなわち、２５５度のときには、スポット光ＰａがＢ領域３０ｃとｓＲ領域３０ｅに跨って位置しているが、２５５度を少しでも過ぎると、スポット光ＰａがさらにＷ領域３０ｄにも跨ることになる。このため、２５５度〜２７０度の間では、当初はＢ領域３０ｃとｓＲ領域３０ｅの混合色（Ｂ＋Ｒ）であるマゼンタが取り出されるが、２５５度を少しでも過ぎると、この混合色（Ｂ＋Ｒ）にＷ領域３０ｄの白色が加えられ始め、最終的に２７０度に達すると、ｓＲ領域３０ｅの赤色とＷ領域３０ｄの白色とを均等に含む輝度半減赤色になる。
【００７０】
同様に、３３０度のときには、スポット光ＰａがＷ領域３０ｄとｓＢ領域３０ｆに跨って位置しているが、３３０度を少しでも過ぎると、スポット光ＰａがさらにＲ領域３０ａにも跨ることになる。このため、３３０度〜３４５度の間では、当初はＷ領域３０ｄとｓＢ領域３０ｆの均等混合色（Ｗ＋Ｂ）である輝度半減青色が取り出されるが、３３０度を少しでも過ぎると、この混合色（Ｗ＋Ｂ）にＲ領域３０ａの赤色が加えられ始め、最終的に３４５度に達すると、ｓＢ領域３０ｆの青色とＲ領域３０ａの赤色とを均等に含む黄色になる。
【００７１】
図１０は、カラーホイール３０の回転角変化とそのカラーホイール３０から取り出される光色の対応関係図である。先にも述べたように、カラーホイール３０の基準回転角（０度）は、回転角検出信号ＣＰの瞬間的なハイレベルへの立ち上がりタイミングに同期する。カラーホイール３０の回転角が、この基準回転角（０度）にあるとき、スポット光ＰａはｓＢ領域３０ｆを抜け出した直後にあるから、スポット光Ｐａはその全体で、ｓＢ領域３０ｆに隣接するＲ領域３０ａを照射している。したがって、回転角が０度のとき、カラーホイール３０から取り出される光色はＲ領域３０ａの透過光である純粋な「赤色」になる。同様に、カラーホイール３０の回転角が０度〜６０度にあるときも、スポット光ＰａはまだＲ領域３０ａに位置し続けているから、カラーホイール３０から取り出される光色は、依然としてＲ領域３０ａの透過光である純粋な「赤色」を持続する。
【００７２】
次に、カラーホイール３０の回転角が６０度を越え且つ９０度未満にあるとき、スポット光ＰａはＲ領域３０ａとＧ領域３０ｂに跨っている（越境している）から、スポット光Ｐａはその全体で、これらの二つの領域（Ｒ領域３０ａとＧ領域３０ｂ）を照射している。したがって、回転角が６０度を越え且つ９０度未満にあるとき、カラーホイール３０から取り出される光色は、Ｒ領域３０ａとＧ領域３０ｂの同時透過光である赤色と緑色の混色（黄色）になる。そして、その黄色は、回転角が６０度から９０度に増えるにつれて、赤に近い黄色から緑に近い黄色へと線形的に変化する。なお、図中において、６０度〜９０度の範囲でＲの図形とＧの図形を左下がりの斜線で接合しているが、これは、赤に近い黄色から緑に近い黄色へと線形的に変化する様子を模式的に示すためのものである。すなわち、６０度〜９０度の範囲では、Ｒの図形の面積が徐々に減り、その一方でＧの図形の面積が徐々に増えているため、当該角度範囲における透過光の色が赤に近い黄色から緑に近い黄色へと線形的に変化している。
【００７３】
次に、カラーホイール３０の回転角が９０度にあるとき、スポット光ＰａはＧ領域３０ｂに完全に入り込んでいるから、スポット光Ｐａはその全体でＧ領域３０ｂを照射している。したがって、回転角が９０度にあるとき、カラーホイール３０から取り出される光色は、Ｇ領域３０ｂの透過光である純粋な「緑色」になる。同様に、カラーホイール３０の回転角が９０度〜１５０度にあるときも、スポット光ＰａはまだＧ領域３０ｂに位置し続けているから、カラーホイール３０から取り出される光色は、依然としてＧ領域３０ｂの透過光である純粋な「緑色」を持続する。
【００７４】
次に、カラーホイール３０の回転角が１５０度を越え且つ１８０度未満にあるとき、スポット光ＰａはＧ領域３０ｂとＢ領域３０ｃに跨っている（越境している）から、スポット光Ｐａはその全体で、これらの二つの領域（Ｇ領域３０ｂとＢ領域３０ｃ）を照射している。したがって、回転角が１５０度を越え且つ１８０度未満にあるとき、カラーホイール３０から取り出される光色は、Ｇ領域３０ｂとＢ領域３０ｃの同時透過光である緑色と青色の混色（シアン）になる。そして、そのシアンは、回転角が１５０度から１８０度に増えるにつれて、緑に近いシアンから青に近いシアンへと線形的に変化する。なお、図中において、１５０度〜１８０度の範囲でＧの図形とＢの図形を左下がりの斜線で接合しているが、これは、緑に近いシアンから青に近いシアンへと線形的に変化する様子を模式的に示すためのものである。すなわち、１５０度〜１８０度の範囲では、Ｇの図形の面積が徐々に減り、その一方でＢの図形の面積が徐々に増えているため、当該角度範囲における透過光の色が緑に近いシアンから青に近いシアンへと線形的に変化している。
【００７５】
次に、カラーホイール３０の回転角が１８０度にあるとき、スポット光ＰａはＢ領域３０ｃに完全に入り込んでいるから、スポット光Ｐａはその全体でＢ領域３０ｃを照射している。したがって、回転角が１８０度にあるとき、カラーホイール３０から取り出される光色は、Ｂ領域３０ｃの透過光である純粋な「青色」になる。同様に、カラーホイール３０の回転角が１８０度〜２４０度にあるときも、スポット光ＰａはまだＢ領域３０ｃに位置し続けているから、カラーホイール３０から取り出される光色は、依然としてＢ領域３０ｃの透過光である純粋な「青色」を持続する。
【００７６】
次に、カラーホイール３０の回転角が２４０度を越え且つ２５５度未満にあるとき、スポット光ＰａはＢ領域３０ｃとｓＲ領域３０ｅに跨っている（越境している）から、スポット光Ｐａはその全体で、これらの二つの領域（Ｂ領域３０ｃとｓＲ領域３０ｅ）を照射している。したがって、回転角が２４０度を越え且つ２５５度未満にあるとき、カラーホイール３０から取り出される光色は、Ｂ領域３０ｃとｓＲ領域３０ｅの同時透過光である青色と赤色の混色（マゼンタ）になる。そして、そのマゼンタは、回転角が２４０度から２５５度に増えるにつれて、青に近いマゼンタから赤に近いマゼンタへと線形的に変化する。なお、図中において、２４０度〜２５５度の範囲でＢの図形とｓＲの図形を左下がりの斜線で接合しているが、これは、青に近いマゼンタから赤に近いマゼンタへと線形的に変化する様子を模式的に示すためのものである。すなわち、２４０度〜２５５度の範囲では、Ｂの図形の面積が徐々に減り、その一方でｓＲの図形の面積が徐々に増えているため、当該角度範囲における透過光の色が青に近いマゼンタから赤に近いマゼンタへと線形的に変化している。
【００７７】
次に、カラーホイール３０の回転角が２５５度を越え且つ２７０度未満にあるとき、スポット光ＰａはＢ領域３０ｃとｓＲ領域３０ｅとＷ領域３０ｄに跨っている（越境している）から、スポット光Ｐａはその全体で、これらの三つの領域（Ｂ領域３０ｃとｓＲ領域３０ｅとＷ領域３０ｄ）を照射している。したがって、回転角が２５５度を越え且つ２７０度未満にあるとき、カラーホイール３０から取り出される光色は、Ｂ領域３０ｃとｓＲ領域３０ｅとＷ領域３０ｄの同時透過光である青色と赤色と白色の混色（輝度可変のマゼンタ）になる。そして、その輝度可変のマゼンタは、回転角が２５５度から２７０度に増えるにつれて、青に近いマゼンタから赤に近いマゼンタを経て明るさをアップしたマゼンタへと線形的に変化する。なお、図中において、２５５度〜２７０度の範囲でＢの図形とｓＲの図形とＷの図形をそれぞれ左下がりの斜線で接合しているが、これは、青に近いマゼンタから赤に近いマゼンタを経て明るさをアップしたマゼンタへと線形的に変化する様子を模式的に示すためのものである。すなわち、２５５度〜２７０度の範囲では、Ｂの図形の面積が徐々に減り、その一方でｓＲの図形の面積とＷの図形の面積が徐々に増えているため、当該角度範囲における透過光の色が青に近いマゼンタから赤に近いマゼンタを経て明るさをアップしたマゼンタへと線形的に変化している。
【００７８】
次に、カラーホイール３０の回転角が２７０度を越え且つ２８５度未満にあるとき、スポット光ＰａはｓＲ領域３０ｅとＷ領域３０ｄに跨っている（越境している）から、スポット光Ｐａはその全体で、これらの二つの領域（ｓＲ領域３０ｅとＷ領域３０ｄ）を照射している。したがって、回転角が２７０度を越え且つ２８５度未満にあるとき、カラーホイール３０から取り出される光色は、ｓＲ領域３０ｅとＷ領域３０ｄの同時透過光である赤色と白色の混色（輝度可変の赤色）になる。そして、その輝度可変の赤色は、回転角が２７０度から２８５度に増えるにつれて、純粋な赤から明るさをアップした赤へと線形的に変化する。なお、図中において、２７０度〜２８５度の範囲でｓＲの図形とＷの図形をそれぞれ左下がりの斜線で接合しているが、これは、純粋な赤から明るさをアップした赤へと線形的に変化する様子を模式的に示すためのものである。すなわち、２７０度〜２８５度の範囲では、ｓＲの図形の面積が徐々に減り、その一方でＷの図形の面積が徐々に増えているため、当該角度範囲における透過光の色が純粋な赤から明るさをアップした赤へと線形的に変化している。
【００７９】
次に、カラーホイール３０の回転角が２８５度にあるとき、スポット光ＰａはＷ領域３０ｄに完全に入り込んでいるから、スポット光Ｐａはその全体でＷ領域３０ｄを照射している。したがって、回転角が２８５度にあるとき、カラーホイール３０から取り出される光色は、Ｗ領域３０ｄの透過光である純粋な「白色」になる。同様に、カラーホイール３０の回転角が２８５度〜３１５０度にあるときも、スポット光ＰａはまだＷ領域３０ｄに位置し続けているから、カラーホイール３０から取り出される光色は、依然としてＷ領域３０ｄの透過光である純粋な「白色」を持続する。
【００８０】
次に、カラーホイール３０の回転角が３１５度を越え且つ３３０度未満にあるとき、スポット光ＰａはＷ領域３０ｄとｓＢ領域３０ｆに跨っている（越境している）から、スポット光Ｐａはその全体で、これらの二つの領域（Ｗ領域３０ｄとｓＢ領域３０ｆ）を照射している。したがって、回転角が３１５度を越え且つ３３０度未満にあるとき、カラーホイール３０から取り出される光色は、Ｗ領域３０ｄとｓＢ領域３０ｆの同時透過光である白色と青色の混色（輝度可変の青色）になる。そして、その輝度可変の青色は、回転角が３１５度から３３０度に増えるにつれて、白色に近い明るい青から輝度半減の青へと線形的に変化する。なお、図中において、３１５度〜３３０度の範囲でＷの図形とｓＢの図形を左下がりの斜線で接合しているが、これは、白色に近い青から輝度半減の青へと線形的に変化する様子を模式的に示すためのものである。すなわち、３１５度〜３３０度の範囲では、Ｗの図形の面積が徐々に減り、その一方でｓＢの図形の面積が徐々に増えているため、当該角度範囲における透過光の色が白色に近い青から輝度半減の青へと線形的に変化している。
【００８１】
次に、カラーホイール３０の回転角が３３０度を越え且つ３４５度未満にあるとき、スポット光ＰａはＷ領域３０ｄとｓＢ領域３０ｆとＲ領域３０ａに跨っている（越境している）から、スポット光Ｐａはその全体で、これらの三つの領域（Ｗ領域３０ｄとｓＢ領域３０ｆとＲ領域３０ａ）を照射している。したがって、回転角が３３０度を越え且つ３４５度未満にあるとき、カラーホイール３０から取り出される光色は、Ｗ領域３０ｄとｓＢ領域３０ｆとＲ領域３０ａの同時透過光である白色と青色と赤色の混色（輝度可変のシアン）になる。そして、その輝度可変のシアンは、回転角が３３０度から３４５度に増えるにつれて、白色に近いシアンから輝度半減のシアンを経て青と赤を均等に含む純粋なシアンへと線形的に変化する。なお、図中において、３３０度〜３４５度の範囲でＷの図形とｓＢの図形とＲの図形をそれぞれ左下がりの斜線で接合しているが、これは、白色に近いシアンから輝度半減のシアンを経て青と赤を均等に含む純粋なシアンへと線形的に変化する様子を模式的に示すためのものである。すなわち、３３０度〜３４５度の範囲では、Ｗの図形の面積が徐々に減り、その一方でｓＢの図形の面積とＲの図形の面積が徐々に増えているため、当該角度範囲における透過光の色が白色に近いシアンから輝度半減のシアンを経て青と赤を均等に含む純粋なシアンへと線形的に変化している。
【００８２】
次に、カラーホイール３０の回転角が３４５度を越え且つ３６０度未満にあるとき、スポット光ＰａはｓＢ領域３０ｆとＲ領域３０ａに跨っている（越境している）から、スポット光Ｐａはその全体で、これらの二つの領域（ｓＢ領域３０ｆとＲ領域３０ａ）を照射している。したがって、回転角が３４５度を越え且つ３６０度未満にあるとき、カラーホイール３０から取り出される光色は、ｓＢ領域３０ｆとＲ領域３０ａの同時透過光である青色と赤色の混色（黄色）になる。そして、その黄色は、回転角が３４５度から３６０度に増えるにつれて、青に近い黄色から赤に近い黄色へと線形的に変化する。なお、図中において、３４５度〜３６０度の範囲でｓＢの図形とＲの図形を左下がりの斜線で接合しているが、これは、青に近い黄色から赤に近い黄色へと線形的に変化する様子を模式的に示すためのものである。すなわち、３４５度〜３６０度の範囲では、ｓＢの図形の面積が徐々に減り、その一方でＲの図形の面積が徐々に増えているため、当該角度範囲における透過光の色が青に近い黄色から赤に近い黄色へと線形的に変化している。
【００８３】
このように、本実施形態のカラーホイール３０によれば、その回転角が０度〜６０度の間で「赤色光（Ｒ）」を取り出し、同回転角が６０度を越え且つ９０度の間で赤に近い黄色から緑に近い黄色へと線形的に変化する「赤色と緑色の混色光（Ｒ→Ｙ→Ｇ）」を取り出し、同回転角が９０度を越え且つ１５０度の間で「緑色光（Ｇ）」を取り出し、同回転角が１５０度を越え且つ１８０度の間で緑に近いシアンから青に近いシアンへと線形的に変化する「緑色と青色の混色光（Ｇ→シアン→Ｂ）」を取り出し、同回転角が１８０度を越え且つ２４０度の間で「青色光（Ｂ）」を取り出すことができる。
【００８４】
加えて、同回転角が２４０度を越え且つ２８５度の間で青に近いマゼンタから赤に近いマゼンタを経て純粋な赤さらに輝度を高めた赤へと線形的に変化する「青色と赤色と白色の混色光（Ｂ→マゼンタ→Ｒ→Ｗ）」を取り出し、同回転角が２８５度を越え且つ３１５度の間で「白色光（Ｗ）」を取り出し、同回転角が３１５度を越え且つ３６０度の間で輝度を高めた青から純粋な青を経てマゼンタさらに赤へと線形的に変化する「白色と青色と赤色の混色光（Ｗ→Ｂ→マゼンタ→Ｒ）」を取り出すことができる。
【００８５】
図１１は、プロジェクタ１０の中央制御部２１で実行される制御プログラムの概略的なフローチャートを示す図である。この制御プログラムでは、まず、光源ＯＮ（光源２９の点灯）及びカラーホイール回転（カラーホイール駆動用モータ３１の動作開始）を行った後（ステップＳ１０）、表示制御モード分岐処理を実行する（ステップＳ１１）。表示制御モードとは、前記のとおり、本体操作表示部１４の平面表示デバイス１４ａに表示される選択肢ボタンをタッチすることにより、ユーザによって適宜に指定された表示制御モードのことである。より詳細には、色再現性重視の表示制御モード（第一の表示制御モード）と明るさ優先の表示モード（第二の表示制御モード）のことである。
【００８６】
ステップＳ１１の分岐処理によって、「第一表示制御モード」が判定されたときには、第一表示制御モード処理を実行し（ステップＳ１２）、「第二表示制御モード」が判定されたときには、第二表示制御モード処理を実行する（ステップＳ１３）。
【００８７】
そして、いずれの表示制御モードにおいても、１フレームの画像を表示後、画像の表示終了を判定し（ステップＳ１４）、表示終了でなければ、再びステップＳ１１の分岐処理以降を繰り返す一方、表示終了であれば、光源ＯＦＦ及びカラーホイール停止（ステップＳ１５）を行った後、プログラムを終了する。
【００８８】
図１２は、第一表示制御モードプログラムのフローチャートを示す図である。この図において、まず、カラーホイール３０の回転角を取り込み、変数ＣＡにセットする（ステップＳ１２ａ）。
【００８９】
次いで、「３４５度＜ＣＡ＜７５度」であるか否かを判定し（ステップＳ１２ｂ）、判定結果が肯定（ＹＥＳ）の場合に、ビデオＲＡＭ２５から読み出したＲ画像でＤＭＤ３３を駆動する（ステップＳ１２ｃ）。
【００９０】
次いで、「７５度＜ＣＡ＜１６５度」であるか否かを判定し（ステップＳ１２ｄ）、判定結果が肯定（ＹＥＳ）の場合に、ビデオＲＡＭ２５から読み出したＧ画像でＤＭＤ３３を駆動する（ステップＳ１２ｅ）。
【００９１】
次いで、「１６５度＜ＣＡ＜２５５度」であるか否かを判定し（ステップＳ１２ｆ）、判定結果が肯定（ＹＥＳ）の場合に、ビデオＲＡＭ２５から読み出したＢ画像でＤＭＤ３３を駆動する（ステップＳ１２ｇ）。
【００９２】
次いで、「２５５度＜ＣＡ＜３４５度」であるか否かを判定し（ステップＳ１２ｈ）、判定結果が肯定（ＹＥＳ）の場合に、ビデオＲＡＭ２５から読み出したＲ画像、Ｇ画像及びＢ画像に基づいて（たとえば、前式（１）により）生成されたＷ画像でＤＭＤ３３を駆動する（ステップＳ１２ｉ）。
【００９３】
図１３は、第二表示制御モードプログラムのフローチャートを示す図である。この図において、まず、カラーホイール３０の回転角を取り込み、変数ＣＡにセットする（ステップＳ１３ａ）。
【００９４】
次いで、「０度＜ＣＡ＜６０度」であるか否かを判定し（ステップＳ１３ｂ）、判定結果が肯定（ＹＥＳ）の場合に、ビデオＲＡＭ２５から読み出したＲ画像でＤＭＤ３３を駆動する（ステップＳ１３ｃ）。
【００９５】
次いで、「６０度＜ＣＡ＜９０度」であるか否かを判定し（ステップＳ１３ｄ）、判定結果が肯定（ＹＥＳ）の場合に、ビデオＲＡＭ２５から読み出したＲ画像、Ｇ画像及びＢ画像に基づいて（たとえば、前式（１）により）生成されたＷ画像でＤＭＤ３３を駆動する（ステップＳ１３ｅ）。
【００９６】
次いで、「９０度＜ＣＡ＜１５０度」であるか否かを判定し（ステップＳ１３ｆ）、判定結果が肯定（ＹＥＳ）の場合に、ビデオＲＡＭ２５から読み出したＧ画像でＤＭＤ３３を駆動する（ステップＳ１３ｇ）。
【００９７】
次いで、「１５０度＜ＣＡ＜１８０度」であるか否かを判定し（ステップＳ１３ｈ）、判定結果が肯定（ＹＥＳ）の場合に、ビデオＲＡＭ２５から読み出したＲ画像、Ｇ画像及びＢ画像に基づいて（たとえば、前式（１）により）生成されたＷ画像でＤＭＤ３３を駆動する（ステップＳ１３ｉ）。
【００９８】
次いで、「１８０度＜ＣＡ＜２４０度」であるか否かを判定し（ステップＳ１３ｊ）、判定結果が肯定（ＹＥＳ）の場合に、ビデオＲＡＭ２５から読み出したＢ画像でＤＭＤ３３を駆動する（ステップＳ１３ｋ）。
【００９９】
次いで、「２４０度＜ＣＡ＜３６０度」であるか否かを判定し（ステップＳ１３ｍ）、判定結果が肯定（ＹＥＳ）の場合に、ビデオＲＡＭ２５から読み出したＲ画像、Ｇ画像及びＢ画像に基づいて（たとえば、前式（１）により）生成されたＷ画像でＤＭＤ３３を駆動する（ステップＳ１３ｎ）。
【０１００】
図１４は、以上の第一表示制御モード及び第二表示制御モードの概念的なタイムシーケンス図である。これらの図において、最上段はカラーホイールの位置（回転角）を表し、上から２段目はカラーホイールから取り出された照明光束を表している。また、その下のＰ１は第一表示制御モードを表し、Ｐ２は第二表示制御モードを表している。
【０１０１】
照明光束は、各モードに共通であり、０度〜６０度は赤色（Ｒ）、６０度を越え且つ９０度未満は赤色（Ｒ）と黄色（Ｙ）の混色、９０度〜１５０度は緑色（Ｇ）、１５０度を越え且つ１８０度未満は緑色（Ｇ）と青（Ｂ）の混色、２４０度を超え、且つ２８５度未満は青色（Ｂ）と赤色（Ｒ）と白色（Ｗ）の混色、２８５度〜３１５度は白色（Ｗ）、３１５度を超え、且つ３６０度未満は白色（Ｗ）と青色（Ｂ）と赤色（Ｒ）の混色となっている。
【０１０２】
二つの表示制御モード（Ｐ１、Ｐ２）は、Ｒ、Ｇ、Ｂの各駆動画像の駆動時間の点、及び、Ｗ画像の利用の仕方の点で相違する。
【０１０３】
まず、第一表示制御モード（Ｐ１）を説明すると、このモードでは、カラーホイールの位置（回転角）が３４５度〜７５度の間ＤＭＤ３３をＲ画像で駆動し、同回転角が７５度〜１６５度の間ＤＭＤ３３をＧ画像で駆動し、同回転角が１６５度〜２５５度の間ＤＭＤ３３をＢ画像で駆動し、同回転角が２５５度〜３４５度の間ＤＭＤ３３をＷ画像で駆動する。すなわち、この第一表示制御モード（Ｐ１）では、Ｒ画像→Ｇ画像→Ｂ画像→Ｗ画像→・・・・の順でＤＭＤ３３を駆動し、且つ、Ｒ画像、Ｇ画像、Ｂ画像及びＷ画像の各々の駆動時間は、回転角で９０度に相当する同一の時間である。
【０１０４】
次に、第二表示制御モード（Ｐ２）を説明すると、このモードでは、カラーホイールの位置（回転角）が０度〜６０度の間ＤＭＤ３３をＲ画像で駆動し、同回転角が９０度〜１５０度の間ＤＭＤ３３をＧ画像で駆動し、同回転角が１８０度〜２４０の間ＤＭＤ３３をＢ画像で駆動すると共に、同回転角が６０度〜９０度、１５０度〜１８０度及び２４０度〜３６０度の間ＤＭＤ３３をＷ画像で駆動する。すなわち、この第二表示制御モード（Ｐ２）では、Ｒ画像→Ｗ画像→Ｇ画像→Ｗ画像→Ｂ画像→Ｗ画像→・・・・の順でＤＭＤ３３を駆動しており、各々のＲ画像、Ｇ画像及びＢ画像の駆動時間を回転角で６０度に相当する同一の時間にするとともに、残りの時間をすべてＷ画像の駆動時間としている。
【０１０５】
図１５は、第一表示制御モード（Ｐ１）のＣＩＥｘｙ色度図及び画像ごとの明るさの概念図である。この図において、色度図上の三角図形の大きさは、従来装置のもの（図２１参照）よりも若干狭くなっているが、Ｒ、Ｇ、Ｂ、Ｃ、Ｍ、Ｙ及びＷの各画像の明るさの比率は「１．５：１．５：１．５：３：３：３：８」となっており、従来装置の比率（図２１参照）に比べて、Ｒ、Ｇ、Ｂ、Ｃ、Ｍ、Ｙ及びＷのいずれもほぼ理想に近い比率になっている。したがって、この第一表示制御モード（Ｐ１）によれば、明るさと色合いのバランスがとれた投影画像を得ることができ、とりわけ、ホームシアターなどの色再現性重視の用途に適したものとすることができる。
【０１０６】
図１６は、第二表示制御モード（Ｐ２）のＣＩＥｘｙ色度図及び画像ごとの明るさの概念図である。この図において、色度図上の三角図形の大きさは、従来装置のもの（図２１参照）と同等である。また、Ｒ、Ｇ、Ｂ、Ｃ、Ｍ、Ｙ及びＷの各画像の明るさの比率も「１：１：１：２：２：２：８」となっており、従来装置の比率（図２１参照）とほぼ同等である。したがって、この第二表示制御モード（Ｐ２）によれば、第一表示制御モード（Ｐ１）に比べて、充分な明るさの投影画像を得ることができ、とりわけ、プレゼンテーションなどの明るさ優先の用途に適したものとすることができる。
【０１０７】
このように、本実施形態によれば、色再現性重視の表示制御モード（第一表示制御モード）と、明るさ優先の表示制御モード（第二示制御モード）とを選択して使用することができ、たとえば、ホームシアターからプレゼンテーションまで幅広く利用できる利便性の高いプロジェクタ１０を実現することができる。
【０１０８】
なお、以上の実施形態では、カラーホイール３０の構造として、図３（ａ）に示すように、時計回り方向にＲ領域３０ａ、Ｇ領域３０ｂ、Ｂ領域３０ｃ、ｓＲ領域３０ｅ、Ｗ領域３０ｄ、ｓＢ領域３０ｆを配列しているが、すなわち、小面積分光領域を赤色光の透過領域（ｓＲ領域３０ｅ）とするとともに、小面積分光領域を青色光の透過領域（ｓＢ領域３０ｆ）としているが、これは実施可能な態様の一例にすぎない。小面積分光領域及び小面積分光領域は、隣接する領域と異なる分光特性を有していればよく、たとえば、小面積分光領域を赤色光の透過領域とするとともに、小面積分光領域を緑色光の透過領域としてもよい。この場合、時計回り方向にＲ領域３０ａ、Ｇ領域３０ｂ、Ｂ領域３０ｃ、小面積分光領域（赤色）、Ｗ領域３０ｄ、小面積分光領域（緑色）を配列すればよい。
【０１０９】
なお、以上の説明において、小面積分光領域の角度をそれぞれ１５度としているのは、光源スポット径（図５のＰａ参照）の丁度半分のサイズであるからである。小面積分光領域は、光源スポット径の半分以上のサイズであることが望ましく、中でも丁度半分のサイズである時が、一番色合いのバランスが良く、Ｗ輝度が高くなる。
要するに、以上の実施形態では、スポット光Ｐａのサイズ比率を、小面積分光領域や小面積分光領域の角度（θ）の２倍の角度に相当する大きさとしたが、これはベストモードであり、これに限定されず、たとえば、小面積分光領域や小面積分光領域の角度（θ）相当またはそれ以下としてもよい。つまり、小面積分光領域や小面積分光領域からはみ出さないサイズ比率のスポット光Ｐａとしてもよい。
また、スポット光Ｐａのサイズ比率の設定は、上記のように、スポット光Ｐａのサイズを変更するのではなく、スポット光Ｐａのサイズを固定した上で、カラーホイールの小面積分光領域の角度を変更するようにしてもよく、又は、スポット光Ｐａのサイズと小面積分光領域の角度の両方を変更して行ってもよい。
【図面の簡単な説明】
【０１１０】
【図１】プロジェクタ１０の外観図である。
【図２】プロジェクタ１０の内部ブロック図である。
【図３】カラーホイール３０の正面図である。
【図４】カラーホイール３０の各領域の分光特性を示す図である。
【図５】光源２９から照射されるスポット光Ｐａとカラーホイール３０との対応関係図である。
【図６】カラーホイール３０の回転状態を示す図（１／４）である。
【図７】カラーホイール３０の回転状態を示す図（２／４）である。
【図８】カラーホイール３０の回転状態を示す図（３／４）である。
【図９】カラーホイール３０の回転状態を示す図（４／４）である。
【図１０】カラーホイール３０の回転角変化とそのカラーホイール３０から取り出される光色の対応関係図である。
【図１１】プロジェクタ１０の中央制御部２１で実行される制御プログラムの概略的なフローチャートを示す図である。
【図１２】第一表示制御モードプログラムのフローチャートを示す図である。
【図１３】第二表示制御モードプログラムのフローチャートを示す図である。
【図１４】第一及び第二表示制御モードの概念的なタイムシーケンス図である。
【図１５】第一表示制御モードのＣＩＥｘｙ色度図及び画像ごとの明るさの概念図である。
【図１６】第二表示制御モードのＣＩＥｘｙ色度図及び画像ごとの明るさの概念図である。
【図１７】ＣＩＥ色度図である。
【図１８】従来装置に用いられているカラーホイールの構造図及びスポット光３が領域の境界線４を越えるときの様子を示す図である。
【図１９】従来装置におけるカラーホイールの駆動タイミング図である。
【図２０】越境状態にあるときにもＷ画像で駆動するようにしたカラーホイールの駆動タイミング図である。
【図２１】従来装置のＣＩＥｘｙ色度図及び画像ごとの明るさの概念図である。
【符号の説明】
【０１１１】
Ｐａ  スポット光
１０  プロジェクタ（投影型表示装置）
２１  中央制御部（画像信号選択手段）
２９  光源
３０  カラーホイール（色分割手段）
３０ａ  Ｒ領域（大面積分光領域）
３０ｂ  Ｇ領域（大面積分光領域）
３０ｃ  Ｂ領域（大面積分光領域）
３０ｄ  Ｗ領域（中面積分光領域）
３０ｅ  ｓＲ領域（小面積分光領域）
３０ｆ  ｓＢ領域（小面積分光領域）
３３  ＤＭＤ（空間光変調手段）
３４  投影レンズ（投影手段）
【図１】
2006254165.tif 000003
【図２】
2006254165.tif 000004
【図３】
2006254165.tif 000005
【図４】
2006254165.tif 000006
【図５】
2006254165.tif 000007
【図６】
2006254165.tif 000008
【図７】
2006254165.tif 000009
【図８】
2006254165.tif 000010
【図９】
2006254165.tif 000011
【図１０】
2006254165.tif 000012
【図１１】
2006254165.tif 000013
【図１２】
2006254165.tif 000014
【図１３】
2006254165.tif 000015
【図１４】
2006254165.tif 000016
【図１５】
2006254165.tif 000017
【図１６】
2006254165.tif 000018
【図１７】
2006254165.tif 000019
【図１８】
2006254165.tif 000020
【図１９】
2006254165.tif 000021
【図２０】
2006254165.tif 000022
【図２１】
2006254165.tif 000023